(57)【特許請求の範囲】
【請求項１】
大便器の側方に配置した第１の壁と、大便器の前方に配置した第２の壁との間に、通路や出入口等の開口部が設けられたトイレにおいて設置される手摺装置であって、第１の壁側に、棒状の手摺本体の下端部を横軸周りに回転自在に取り付けて、この手摺本体を、第１の壁側に後退させた状態と、第２の壁側に向かって斜めに傾けた状態との間で切換可能としており、前記第１の壁側に、後退させた状態の手摺本体の上端部を保持する第１保持部を設けるとともに、第２の壁側に、傾けた状態の手摺本体の上端部を保持する第２保持部を設け、前記手摺本体は、棒状の基部と、この基部に対して上方から被さって上下方向にスライド自在に外嵌する操作筒部と、これら基部と操作筒部との間に介在されて、操作筒部を上方に付勢する付勢体とを備え、前記の第１保持部及び第２保持部に、操作筒部の上端に設けた係合突起が係合する係合孔を設けるようにしたことを特徴とするトイレ用の手摺装置。
【請求項２】
手摺本体は、棒状の基部と、第１の壁側に横軸周りに回転自在に支持されたヒンジ部とを備え、前記の基部の下端を、ヒンジ部に取り外し可能に装着するようにした請求項１記載のトイレ用の手摺装置。
【請求項３】
第１の壁は、大便器と小便器との間を仕切る仕切壁であり、この仕切壁の前記開口部に面する端面に沿って、後退させた状態の手摺本体を配置するようにした請求項１又は２記載のトイレ用の手摺装置。
【請求項４】
仕切壁は、床面から立ち上がった腰壁部と、この腰壁部の上面から天井面まで立ち上がったパーティションとからなり、腰壁部の前記開口部に面する端面に形成した縦溝に、後退させた状態の手摺本体の一部を嵌め込むとともに、パーティションの前記開口部に面する端面と後退させた状態の手摺本体との間に隙間を設けるようにした請求項３記載のトイレ用の手摺装置。
【発明の詳細な説明】
【０００１】
【発明の属する技術分野】
この発明は、トイレにおいて使用される手摺装置に関する。
【０００２】
【従来の技術】
従来より、トイレにおける大便器への立ち座り動作を補助する手摺としては、垂直方向に延びる棒状の縦握り手摺、水平方向に延びる棒状の横握り手摺、斜め方向に延びる棒状の斜め握り手摺、これら握り手摺を組み合わせたＬ型握り手摺、さらには手をつくための棚を備えた棚付きの握り手摺等がある。
【０００３】
これら各種の手摺は、大便器側方の壁に取り付けられるが、手摺が大便器の真横にあると、手摺を握って立ち上がろうとする使用者は、窮屈な姿勢を強いられることになるので、大便器よりもやや前方に取り付けられていることが多い。この場合、大便器に座った使用者は、手を伸ばして手摺を握りながら、スムーズに立ち上がることができる。
【０００４】
【発明が解決しようとする課題】
従来の手摺を、使用し易い適切な位置に取り付けるためには、大便器側方の壁において、大便器よりも前方に張り出すような比較的大きな取り付け面積が必要である。このため、例えば図９に示すように、大便器(70)前方の壁(71)との間に通路(72)を確保しながら、大便器(70)と小便器(73)との間を仕切るような仕切壁(74)に対しては、大便器(70)前方への張り出しが少なく、また取り付け強度も充分ではないので、物理的に取り付けが不可能であった。
【０００５】
そこで、この発明は、上記の不具合を解消して、大便器側方の壁において、通路や出入口等の開口部があって充分な取り付け面積を確保できず、また充分な取り付け強度も期待できないような場合でも、有効に設置することができるトイレ用の手摺装置の提供を目的とする。
【０００６】
【課題を解決するための手段】
上記の課題を解決するため、この発明の手摺装置は、大便器の側方に配置した第１の壁と、大便器の前方に配置した第２の壁との間に、通路や出入口等の開口部が設けられたトイレにおいて設置されるものであって、第１の壁側に、棒状の手摺本体の下端部を横軸周りに回転自在に取り付けて、この手摺本体を、第１の壁側に後退させた状態と、第２の壁側に向かって斜めに傾けた状態との間で切換可能としている。
【０００７】
そして、第１の壁側に、後退させた状態の手摺本体の上端部を保持する第１保持部を設けるとともに、第２の壁側に、傾けた状態の手摺本体の上端部を保持する第２保持部を設けるようにしている。
【０００８】
さらに、手摺本体は、棒状の基部と、この基部に対して上方から被さって上下方向にスライド自在に外嵌する操作筒部と、これら基部と操作筒部との間に介在されて、操作筒部を上方に付勢する付勢体とを備え、前記の第１保持部及び第２保持部に、操作筒部の上端に設けた係合突起が係合する係合孔を設けるようにしている。
【０００９】
また、手摺本体は、棒状の基部と、第１の壁側に横軸周りに回転自在に支持されたヒンジ部とを備え、前記の基部の下端を、ヒンジ部に取り外し可能に装着するようにしている。
【００１０】
さらに、第１の壁は、大便器と小便器との間を仕切る仕切壁であり、この仕切壁の前記開口部に面する端面に沿って、後退させた状態の手摺本体を配置するようにしている。
【００１１】
さらにまた、仕切壁は、床面から立ち上がった腰壁部と、この腰壁部の上面から天井面まで立ち上がったパーティションとからなり、腰壁部の前記開口部に面する端面に形成した縦溝に、後退させた状態の手摺本体の一部を嵌め込むとともに、パーティションの前記開口部に面する端面と後退させた状態の手摺本体との間に隙間を設けるようにしている。
【００１２】
【発明の実施の形態】
以下、この発明の実施形態を図面に基づいて詳細に説明する。この発明の一実施形態に係る手摺装置(１)が設置されるトイレは、図１及び図２に示すように、大便器(２)と小便器(３)との間を仕切る第１の壁としての仕切壁(４)と、大便器(２)及び小便器(３)の前方に配置した第２の壁としてのトイレ内壁(５)との間に、開口部としての通路(６)が設けられている。
【００１３】
そして、大便器(２)側方に位置する仕切壁(４)は、床面から立ち上がった腰壁部(７)と、この腰壁部(７)の上面から天井面まで立ち上がったガラス製のパーティション(８)とからなり、大便器(２)前方への張り出しはほとんどなく、強度的にも弱くなっている。
【００１４】
手摺装置(１)は、棒状の手摺本体(10)と、仕切壁(４)側に設けた第１保持部(11)と、内壁(５)側に設けた第２保持部(12)とを備えている。
【００１５】
手摺本体(10)は、図３に示すように、例えばゴム製の凹凸を有する握り部(14)を備えたパイプ状の基部(15)と、この基部(15)に対して上方から被さって上下方向にスライド自在に外嵌する操作筒部(16)と、ヒンジ部(17)とを備えている。
【００１６】
そして、基部(15)の上端面と操作筒部(16)の円孔(19)付きの上面板(18)との間には、図４に示すように、操作筒部(16)を上方に付勢する付勢体としてのバネ(20)が、係合突起(21)付きの上板(22)と下板(23)とによって挟み込まれた状態で介装されており、操作筒部(16)の上面板(18)の円孔(19)からは、係合突起(21)が突出している。
【００１７】
ヒンジ部(17)は、その上端部分がパイプ状に形成され、下端部分の垂直片(25)には挿通孔(26)が形成されている。そして、基部(15)の下端が、このヒンジ部(17)の上端部分に取り外し可能に内嵌されて、ボルト等の固定具によって固定されている。このように、基部(15)とヒンジ部(17)を別部材としているので、施工時やメンテナンス時の取り回しが容易にできるようになっている。
【００１８】
また、腰壁部(７)の通路(６)に面する端面(30)には、図５及び図６に示すように、断面略半円状の縦溝(31)が形成されていて、この縦溝(31)を横切るようにして腰壁部(７)の下端に取り付けた横軸(32)を、ヒンジ部(17)の挿通孔(26)に貫通させることで、ヒンジ部(17)すなわち手摺本体(10)の下端が横軸(32)周りに回転自在に支持されている。なお、図中(33)は、腰壁部(７)の端面(30)に被せられた例えばステンレス製の受け材である。
【００１９】
これにより、手摺本体(10)は、仕切壁(４)の通路(６)側に面する端面に沿って後退させた格納状態と、通路(６)を横切るようにして、内壁(５)に向かって斜めに傾けた使用状態との間で切換可能となっている。
【００２０】
第１保持部(11)は、格納状態の手摺本体(10)の上端部を保持するためのもので、図１に示すように、方形の取付け板(40)と、この取付け板(40)の中央部から垂下された支持パイプ(41)とからなる。支持パイプ(41)の下面板(42)には、図３に示すように、手摺本体(10)側の係合突起(21)が係合する係合孔(45)が形成されている。そして、支持パイプ(41)を天井板(46)に貫通させた状態で、取付け板(40)を天井板(46)の上面にビス等の固定具によって固定することで、支持パイプ(41)が格納状態の手摺本体(10)の直上に位置するようにして、第１保持部(11)が天井板(46)に取り付けられている。
【００２１】
第２保持部(12)は、使用状態の手摺本体(10)の上端部を保持するためのもので、図７及び図８に示すように、方形の取付け板(50)と、手摺支持用の溝部(52)が形成された支持板(53)からなる。支持板(53)の溝部(52)には、その上端の斜辺板(54)において、手摺本体(10)側の係合突起(21)が係合する係合孔(55)が形成されている。
【００２２】
そして、溝部(52)を取付け板(50)の中央開口部(51)に挿入した状態で、支持板(53)を取付け板(50)にビス等の固定具によって固定するとともに、その取付け板(50)を内壁(５)にビス等の固定具によって固定することで、第２保持部(12)が内壁(５)に埋め込まれた状態で取り付けられている。なお、内壁(５)には、支持板(53)の溝部(52)が入り込む凹部(56)が形成されている。
【００２３】
上記構成の手摺装置(１)において、手摺本体(10)が格納状態のときには、その手摺本体(10)の係合突起(21)が、第１保持部(11)の係合孔(45)に係合することで、手摺本体(10)の上端部が第１保持部(11)に保持されている。また、図５に示すように、手摺本体(10)の下半分の後側が腰壁部(７)の縦溝(31)に嵌め込まれる。さらに、パーティション(８)の通路(６)に面する端部が切り欠かれているため、その通路(６)に面する端面(34)と手摺本体(10)の上半分との間に隙間(36)が確保されている。これにより、手摺本体(10)によってトイレ内の有効空間が狭められることがなく、また仕切壁(４)と一体化してインテリア性も高くなっている。
【００２４】
この状態から、手摺本体(10)の操作筒部(16)を握って、バネ(20)の付勢力に抗して下方へスライドさせると、係合突起(21)が係合孔(45)から外れて係合が解除され、これにより、手摺本体(10)を、仕切壁(４)の端面と対面する内壁(５)側へ向かって横軸(32)周りに回転させることができる。なお、手摺本体(10)が格納状態のときには、仕切壁(４)の端面に沿って配されているが、操作筒部(16)とパーティション(８)の端面(34)との間には隙間(36)があるので、操作筒部(16)を支障なく握ることができる。
【００２５】
手摺本体(10)を回転させて使用状態にしたときには、その手摺本体(10)の上端部が第２保持部(12)の溝部(52)に嵌り込んで、手摺本体(10)の係合突起(21)が、第２保持部(12)の係合孔(55)に係合することで、手摺本体(10)の上端部が第２保持部(12)に保持される。
【００２６】
この使用状態において、手摺本体(10)は大便器(２)に座った人から見て鉛直方向に対して前方に傾いているので、基部(15)の握り部(14)を握って立ち座り動作を行うときに、力をかけ易く、手首の折れ曲がりも小さくなって手首への負担を軽減することができる。また、握り部(14)を握ることで、手のすべりをなくし、握ったときの冷感も排除することができる。
【００２７】
手摺使用後に、手摺本体(10)を後退させて格納状態に戻すには、上記と同様に手摺本体(10)の操作筒部(16)を握って下方へスライドさせることで、係合突起(21)と係合孔(55)との係合を解除して、手摺本体(10)を、内壁(５)と対面する仕切壁(４)の端面側へ向かって回転させれば良い。
【００２８】
なお、この発明は、上記実施形態に限定されるものではなく、この発明の範囲内で上記実施形態に多くの修正及び変更を加え得ることは勿論である。
【００２９】
【発明の効果】
以上の説明から明らかなように、この発明の手摺装置では、その手摺本体の下端部が、大便器の側方に配置した第１の壁側に回転自在に取り付けられていて、第１の壁側に後退させた状態(格納状態)と、大便器の前方に配置した第２の壁側に向かって斜めに傾けた状態(使用状態)との間で切換可能となっているので、一方の壁において、通路や出入口があって充分な取り付け面積を確保できず、また充分な取り付け強度が期待できない場合、例えば大便器と小便器との間を仕切るような腰壁やパーティションで構成される仕切壁である場合でも、有効に設置することができる。
【００３０】
また、手摺本体の上端部を、各状態において保持しているので、手摺本体の安定した姿勢維持が可能となる。しかも、手摺本体の操作筒部を握って、付勢体の付勢力に抗してスライドさせるだけで、操作筒部の係合突起と各保持部の係合孔との係合を解除して、状態の切換えを行うことができるので、操作性も良好である。
【００３１】
さらに、手摺本体は、その基部をヒンジ部から取り外すことができる構造となっているので、手摺本体の施工性やメンテナンス性も良好である。
【００３２】
また、手摺本体が格納状態のときには、仕切壁の端面に沿って配置されるので、通路や出入口を通るのに邪魔にならず、トイレ内の有効空間を狭めることがない。さらに、この格納状態において、仕切壁の腰壁部に形成した縦溝に、手摺本体の一部を嵌め込むようにすることで、仕切壁と手摺本体との一体化を図ることができ、インテリア性の高いしつらえも可能となる。
【図面の簡単な説明】
【図１】この発明の一実施形態に係る手摺装置を設置したトイレの縦断面図である。
【図２】同じくその横断面図である。
【図３】手摺本体の分解斜視図である。
【図４】手摺本体の上端部の縦断面図である。
【図５】格納状態の手摺本体の横断面図である。
【図６】格納状態の手摺本体の下端部の縦断面図である。
【図７】第２保持部の正面図である。
【図８】第２保持部の縦断面図である。
【図９】トイレの横断面図である。
【符号の説明】
(１)  手摺装置
(２)  大便器
(３)  小便器
(４)  仕切壁(第１の壁)
(５)  内壁(第２の壁)
(６)  通路(開口部)
(７)  腰壁部
(８)  パーティション
(10)  手摺本体
(11)  第１保持部
(12)  第２保持部
(15)  基部
(16)  操作筒部
(17)  ヒンジ部
(20)  バネ(付勢体)
(21)  係合突起
(30)  腰壁部の端面
(31)  縦溝
(32)  横軸
(34)  パーティションの端面
(36)  隙間
(45)(55)  係合孔
【図１】
0004069239.tif 000002
【図２】
0004069239.tif 000003
【図３】
0004069239.tif 000004
【図４】
0004069239.tif 000005
【図５】
0004069239.tif 000006
【図６】
0004069239.tif 000007
【図７】
0004069239.tif 000008
【図８】
0004069239.tif 000009
【図９】
0004069239.tif 000010